(57)【要約】【課題】  現在の個別ＰＣによるリッチクライアント方式ではＨＤＤのクラッシュ等による情報の消失がある。一方、シンクライアント方式では種々の形態があるが、従来の個人ＰＣの操作と異なる違和感があるか、操作性を解決しようとする場合にはコストアップやシステムの複雑化を招く課題がある。また、モバイルＰＣから最新の企業情報にアクセスできるとともに、モバイルＰＣの紛失等で貴重な企業情報が流失する。【解決手段】個別ＰＣとサーバの個別ＰＣのユーザデータ対応の記憶装置と持ち出し可能なシンクライアント端末から構成され、ユーザが個人ＰＣの使用を終了し、電源断時にユーザデータをオフィスサーバの記憶装置に転送して、オフィスサーバのユーザデータを更新する。また、シンクライアント端末使用時にはサーバのユーザデータを利用する。また、個人ＰＣの電源投入時にはオフィスサーバのユーザデータで個人ＰＣのユーザデータを更新する。【選択図】図１
2011198337.tif 000002
【特許請求の範囲】
【請求項１】
オフィス等で各個人が有するＰＣ、ＰＣの情報をバックアップするサーバ、およびＰＣが保持する情報をバックアップするとともに記憶装置を有しないあるいは有していてもその機能を利用しないモバイル情報端末あるいは家庭等に設置されているＰＣから構成され、構成する該情報機器間で情報を共有し、オフィス内外でユビキタスにＰＣ機能を実現することを特徴とするＰＣシステム
【請求項２】
請求項１において、個人が有するＰＣにおいて、電源断時にＰＣに保持されている情報の内、更新されているユーザデータのみの情報によってサーバでのＰＣ対応の情報を更新し、電源投入時にサーバに保持されているＰＣ対応情報の内、更新されているデータのみの情報によってＰＣの情報を更新することを特徴とするＰＣシステム
【請求項３】
請求項１において、個人が有するＰＣにおいて、電源断時にＰＣに保持されているユーザデータおよびアプリケーション・ソフトウエアの情報によってサーバでのＰＣ対応の情報を更新し、電源投入時にサーバに保持されているＰＣシステムＰＣ対応情報によってＰＣの情報を更新することを特徴とするＰＣシステム
【請求項４】
請求項１において、モバイル情報端末あるいは家庭等に設置されているＰＣがこれらの端末に格納されているアプリケーション・ソフトウエアとサーバに格納されているユーザデータによって、情報更新を行うことを特徴としたＰＣシステム
【請求項５】
請求項１において、モバイル情報端末あるいは家庭等に設置されているＰＣがサーバに格納されているアプリケーション・ソフトウエアとユーザデータによって、情報更新を行うことを特徴としたＰＣシステム
【請求項６】
請求項１において、各個人が所有するＰＣをＨＤＤ等の記憶装置がないシンクライアント端末部分とＨＤＤ等の記憶装置等の部分と分離出来るような構造とし、両機能部分により個別のＰＣとして使用し、また、シンクライアント端末部分をモバイル・シンクライアント端末としても使用することを可能とすることを特徴とするＰＣシステム
【請求項７】
請求項２において、サーバに記憶されている個人対応のユーザデータを管理することを特徴とするＰＣシステム
【請求項８】
請求項３において、サーバに記憶されている個人対応のアプリケーション・ソフトウエアの正当性をチェックするとともに、該アプリケーション・ソフトウエアとユーザデータの管理を行うことを特徴とするＰＣシステム
【発明の詳細な説明】
【技術分野】
【０００１】本発明はオフィス等で使用されるＰＣを中心とする情報システムに関する。
【背景技術】
【０００２】  オフィス等において、各個人がＰＣ（パーソナルコンピュータ）を有しており、事務処理の効率化、高度化を実現している。しかし、近年、オフィス等で企業等が有する重要な企業情報がＰＣを介してＵＳＢ（Ｕｎｉｖｅｒｓａｌ  Ｓｅｒｉａｌ  Ｂｕｓ）メモリ等のリムーバルデバイスに記憶され、企業外で紛失したり、意図的に盗用するなどの問題が発生したり、各個人や有する固有のソフトウエアにより外部に流失するなどのセキュリティが問題となっている。そのため、企業等がＰＣに記憶されている情報やソフトウエアの一元管理を容易とするため、ＰＣに情報やソフトウエアを記憶させないシンクライアント（Ｔｈｉｎ−Ｃｌｉｅｎｔ）方式が適用される場合が多くなっている。【０００３】  以上のように、オフィス等で利用されるシンクライアント方式は種々の形態が開発され、発展を遂げている。具体的な実現方式としてはサーバベース方式、ブレードＰＣ方式、仮想ＰＣ方式等が開発されている。【０００４】  一方、シンクライアント方式を利用し、持ち出したシンクライアント端末を用いて、オフィスのサーバにアクセスしてオフィスと同様なＩＴ環境を実現するモバイル・シンクライアント（家庭でのＰＣを利用した遠隔アクセスを含む）が発展しつつある。モバイル・シンクライアントの形態を実現するリモートＰＣの具体的な実現形態はモバイルＰＣならびに家庭で使用するホームＰＣであり、いずれもユーザデータを格納しないモバイル・シンクライアントの運用形態を実現している。
モバイル・シンクライアントを可能とするＩＴ環境は高速で安全な通信回線である。
高速な通信回線として、家庭のＰＣからはＦＴＴＨ（Ｆｉｂｅｒ−Ｔｏ−Ｔｈｅ−Ｈｏｍｅ）により高速な回線が実現されている。一方、外部で使用するモバイル情報端末と企業のネットワークとを結び付ける公衆モバイルネットワークでは第３世代、第４世代の移動通信ネットワークやＷｉＭＡＸ等の公衆無線ＬＡＮサービスが実用に供されるようになってきた。それ故、このような高速モバイル通信の定額サービスにより、経済的に１Ｍｂｐｓ以上の高速情報伝送することが可能となっている（文献１）。また、モバイル・シンクライアント方式では回線速度が最低でも５００ｋｂｐｓ〜８００ｋｂｐｓ以上必要である（文献１）。さらに、定額モバイルデータ通信サービスが提供しているためにモバイル情報端末によるモバイル・シンクライアント方式が実用になっている（文献１）。
また、安全性に関しては個人認証を利用して、ＶＰＮ（Ｖｉｒｔｕａｌ  Ｐｒｉｖａｔｅ  Ｎｅｔｗｏｒｋ）回線と情報の暗号化により実現できる。【０００５】  種々のシンクライアント方式では主要な機能がオフィスサーバ側に実装されるため、クライアント端末の機能が簡素化され、経済化が実現できる。しかし、オフィスサーバ側では機能が増加するために、コストアップに繋がることと、本来はネットワークを必要としない個人ＰＣのアプリケーションでも社内ネットワークを利用するために通信トラフィックが増大する。また、最初にシンクライアント方式が開発された時点から個人ＰＣの価格が大幅に低下した。それ故、経済性の観点からはシンクライアント方式による大幅な経済化の効果は見られなくなっている。【０００６】  一方、従来のスタンドアロンの個人ＰＣに外部からシンクライアント端末で直接アクセスする形態もある。この場合の最大の課題はＰＣ電源の遠隔制御である。現在までにこの機能を開発するシステムとして、Ｗａｋｅ−ｏｎ  ＬＡＮという個人ＰＣの電源の遠隔制御を実現するＬＡＮ技術が開発されている。本システムは特殊なプロトコルで制御信号を転送するものである。本システムで電源の遠隔制御は可能となるがシステムが一層複雑化してコストアップに繋がることと無線ＬＡＮでは実現が困難であるという課題がある。【０００７】  さらに、ＰＣ等で記憶されている企業情報データの保持に関する信頼性の問題がある。現在、スタントアロンの個人ＰＣに保持されている情報は２重化されていないＨＤＤに記録されており、ＨＤＤのクラッシュ時には情報が消失してしまう課題がある。一方、これらの情報がサーバに記憶されている場合、サーバでは情報の記憶装置が２重化するなどの信頼性対策を施しており、装置障害による情報の消失の課題を解決している。【０００８】  以上、企業のＰＣを中心とするＩＴシステムは発展を遂げている。しかし、利用面、セキュリティ面等で理想的な形態からは距離があるのが実態である。
【非特許文献１】  日経コミュニケーション２００８．４．１ｐ．６７
【発明の概要】
【発明が解決しようとする課題】
【０００９】  個別にＨＤＤ（ハードディスク記憶装置）等の記憶装置を有する従来のＰＣの形態であるリッチクライアント（Ｒｉｃｈ  Ｃｌｉｅｎｔ）方式では以下の課題を有する。
１）外部の遠隔操作のリモートＰＣから個人ＰＣにアクセスする場合、個人ＰＣの電源      をサーバから遠隔制御して投入する必要があり、システムが複雑化するとともに装      置が高価となる欠点がある。
２）ＨＤＤがクラッシュした場合、ＨＤＤが通常２重化されていないため、個人ＰＣに      記憶されている貴重な企業情報が消失する。
３）社内情報管理の上で個別ＰＣにアクセスし、そのアプリケーション・ソフトウエア      やユーザデータなどの情報を把握することが容易でなく、管理やセキュリティの面      で不利である。【００１０】  一方、シンクライアント方式にも種々の課題がある。以下、個々の実現形態に対する具体的な課題を述べる。【００１１】  一方、シンクライアント方式の内、アプリケーションの実行など全ての処理をオフィスサーバ上で行い、端末側は遠隔操作端末としての役割のみを担うサーバベース方式は１台のオフィスサーバに複数のユーザが同時ログオンして使用するマルチユーザの形態であるために、マルチユーザ対応されていないアプリケーションの互換性等が課題である。また、本方式ではユーザが自由に独自のアプリケーションを追加するなど自分のＰＣとして操作することに違和感がある。【００１２】  また、サーバベース方式でのサーバと端末の通信方式はそのままに、オフィスサーバではなく、多くブレードＰＣを並べたブレードＰＣ方式はブレードＰＣ上ではクライアントＯＳを動作させるため、サーバベース方式の課題であるアプリケーションの互換性の課題を改善される。しかし、一方、専用のハードウェア（ブレードＰＣ）に依存するため、全体のシステム価格が高くなることが課題である。【００１３】  オフィスサーバのサーバＯＳ中で、仮想マシンを複数実行させる仮想ＰＣ方式はサーバベース方式とブレードＰＣ方式と折衷方式であり、サーバベース型、ブレードＰＣ型の両者の課題を解決している。しかし、オフィスサーバＯＳ上に、個々のクライアントＯＳを仮想的に設定するため、管理が煩雑になることや、仮想マシン上で動作するクライアントＯＳの性能が与えられる資源量が少ないために充分でないなど、システムの複雑化を招くという課題がある。【００１４】  以上、シンクライアント方式では各実現形態に共通なユーザの利用面から新たな課題を生じている。即ち、個人的にソフトウエアを追加など、個人ＰＣとして利用することが困難である。即ち、利用者からは自分のＰＣとして自由に使用し難いという課題がある。
【課題を解決するための手段】
【００１５】  リッチクライアント方式およびシンクライアント方式の種々の課題を解決するために、ＨＤＤ等の記憶装置を有する通常のスタンドアロンの個人ＰＣと情報を記憶するオフィスサーバの双方を利用することにより、課題を解決することが可能である。【００１６】  上記のようなシステム環境において、個人対応の企業情報は個人ＰＣの電源が投入されている状態では個人ＰＣを利用して情報をバージョンアップしている。この場合、バージョンアップした情報を逐次、オフィスサーバに送付してサーバの情報をバージョンアップすることは可能である。しかし、常時、バージョンアップするのはシステムとして必ずしも効率的ではない。そこで、ＰＣの電源断時にバージョンアップしたユーザ情報を一括してサーバのバックアップ記憶装置に送信する形態が効率的である。この場合、情報全体ではなく、変化した情報のみを送付する形態が効率的である。【００１７】  具体的な実現形態としては個人ＰＣとオフィスサーバに格納される個人対応の情報としてユーザデータのみの形態と、ユーザデータ＋アプリケーション・プログラムを格納するという両形態がある。【００１８】  オフィス内の他の場所およびオフィス外で使用するリモートＰＣでは運用性やセキュリティ等の観点からユーザデータのための記憶装置を有さず、あるいは記憶装置を有しているがリモートアクセスの場合に記憶装置を使用せず、オフィスサーバに有する仮想ＰＣ端末の入出力機能のみを利用する。サーバは常時（３６５日２４時間）電源が入っているため、常時アクセスすることが可能である。即ち、この場合、リモートＰＣはモバイル・シンクライアント方式のリモート端末の位置付けとなる。【００１９】  オフィスサーバが個人ＰＣのユーザデータのみを格納する場合、リモートＰＣのソフトウエア構成はＯＳの他にリモートアクセスのソフトウエアならびにアプリケーション・プログラムを格納している。（図３）
また、オフィスサーバが個人ＰＣのユーザデータおよびアプリケーション・プログラムを格納する場合、リモートＰＣのソフトウエア構成はＯＳの他に、通信ミドルウエアのみで、アプリケーション・プログラムとユーザデータを格納していない。（図４）【００２０】  上記のようなシステム環境において、個人がオフィスの他の場所あるいはオフィス外にいて、モバイルＰＣを操作している状況では個人はサーバに記憶されている個人対応情報をバージョンアップしている。この場合、バージョンアップした情報を逐次、ＰＣに送付してサーバの情報をバージョンアップすることは可能であるが効率的ではない。そこで、個人がオフィスに戻って、ＰＣの電源投入時にサーバに記憶されているバージョンアップした情報をＰＣに送信する形態が効率的である。この場合も情報全体よりも出きるだけ変化した情報のみを送付する形態が効率的である。【００２１】  以上のＰＣシステムにおいて、オフィスサーバに記憶されているユーザ情報がＰＣの記憶装置の障害によるユーザ情報の消失をバックアップすることができる。最悪の場合として、ユーザがＰＣを操作中に個人ＰＣのＨＤＤがクラッシュした場合でも、前回のＰＣ操作終了時点でのユーザ情報がサーバ側の記憶装置に記憶されている。それ故、ＨＤＤのクラッシュ等による情報消失を最小限に食い止めることが可能となる。【００２２】  さらに、本解決方式では個人ＰＣとともにオフィスサーバにも個人のアプリケーション・プログラムやユーザデータが記憶されるため、サーバに記憶された個人対応情報にアクセスすることにより、情報管理やセキュリティの確保が容易に実現できる。
【発明の効果】
【００２３】  本発明により、企業のＰＣシステムに関して、以下に示す多くの効用を得ることが可能となる。
オフィスの自席ではフルスペックの個人ＰＣとして利用し、また、オフィスの他の場所や社外ではリモートＰＣを利用して常時、最新情報にアクセスし、更新することができる。
従来のモバイルＰＣ、あるいはホームＰＣの場合のように、作成あるいは更新した情報をオフィスで改めて個人ＰＣに入力する必要がなく、また、メールにアクセスした時にオフィスではアクセスできなくなることもない。
システムは、本システム実現のための機能をミドルウエアに追加するだけで実現することができ、既存のシステム資源を有効に生かすことができる。これにより、本システムの実現のためのコストアップが小さい。
モバイルＰＣは記憶装置が無く、あるいは使用しないため、セキュリティ上で重要な企業情報を紛失するあるいは盗用されるリスクを回避することが出来る。
個人がオフィスで固有の個人ＰＣを有するため、シンクライアント方式で問題となっていた個人的なソフトウエアの追加等が実現出来る。
個人ＰＣにおいて、ＨＤＤのクラッシュ等の事故による企業情報の消失を防止し、該企業情報をバックアップすることが可能となる。
個人ＰＣに記憶されているユーザデータやアプリケーション・プログラムをオフィスサーバに記憶する時点でその正当性をチェックすることが可能であるとともに、管理を行うことが可能である。
オフィスの自席で使用する個人ＰＣをシンクライアント端末部分とＨＤＤ等の固定的に社内ネットワークに接続する部分に分離可能にすることにより、社内の自席以外に、また、社外にシンクライアント端末として持ち出すことが可能である。これにより、柔軟な運用を実現するとともに、経済的にも有利である。
【図面の簡単な説明】
【００２４】
【図１】は本発明方式の実現形態を示すシステム構成図である。
【００２５】
【図２】は本発明方式の動作を説明するシステムのタイムチャートである。
【００２６】
【図３】はオフィスサーバに個人ＰＣのユーザデータのみをオフィスサーバに格納するＰＣシステムのソフトウエア構成である。
【００２７】
【図４】はオフィスサーバに個人ＰＣのユーザデータおよびアプリケーション・プログラムを格納するＰＣシステムのソフトウエア構成である。
【００２８】
【図５】はセパレータブルＰＣの装置構成例である。
【発明明を実施するための形態】
【実施例１】
【００２９】  ユーザの具体的な操作とそれに対応するシステムのメカニズムを説明することにより、本発明の動作を説明する。特に、有望な方式と考えられる個人ＰＣとオフィスサーバで共有する情報がユーザデータのみの場合、即ち、オフィスサーバではユーザ対応領域ではユーザデータのみを格納し、また、リモートＰＣではアプリケーション・プログラムを格納する場合のシステムの動作を詳細に説明する。【００３０】  図２には本発明のＰＣシステムのタイムチャートである。「オフィスの個人ＰＣ」「オフィスサーバ」「リモーＰＣ」の間で情報が授受される。
そして、運用モードとして「個人ＰＣの使用時と終了時」「リモートＰＣの使用時」および「個人ＰＣの使用開始時」の個々の動作モードを説明する。
以下、個々動作モードでの操作と動作メカニズムについて具体的に説明する。【００３１】  個人ＰＣを使用する場合には、利用者は通常と同様に利用することができる。そして、個人ＰＣの使用を終了し、電源断の時、通常の個人ＰＣの動作の前に、個人ＰＣの情報をオフィスサーバにユーザデータを退避させる。この場合、退避させるソフトウエアによって自動的に実施するため、利用者は新たな操作は不要である。この追加的な機能により電源断のアクションの時間は増大する。しかし、電源納入時から電源断までの使用期間によって更新した差分情報のみを転送することにより、この転送時間を最小にし、若干の転送時間の増大に限定することができる。
これら機能は図３の３１個人ＰＣの３１２ミドルウエアと３２オフィスサーバの３２２ミドルウエア（通信ミドルウエアと本発明機能に対応するミドルウエア）によって実行される。【００３２】  リモートＰＣを利用して情報を更新する場合はこれらの端末はＨＤＤのような記憶装置を持たないか、あるいは記憶装置を持っていてもその機能を作動させることはない。そしてオフィスのサーバと接続することにより、モバイルＰＣあるいはホームＰＣはオフィスのサーバの入出力装置の位置付けとなる。即ち、このような動作モードは「モバイル・シンクライアント（ｍｏｂｉｌｅ  ｔｈｉｎ−ｃｌｉｅｎｔ）」あるいは「リモート・シン・クライアント（ｒｅｍｏｔｅ  ｔｈｉｎ−ｃｌｉｅｎｔ）」ということができる。
このような動作モードにおいて、利用者の操作は通常のＰＣと同様に行うことができる。【００３３】  リモートＰＣとオフィスサーバとの間の回線の速度は通常のアプリケーションの場合、１Ｍｂｐｓ程度以上で充分であり、最近の高速回線ではこの条件は満足させることができる。
また、リモートＰＣとオフィスサーバとの間ではセキュリティも必須の条件である。この場合、ＶＰＮ等の専用回線をするとともに、単にＩＤやパスワードだけでなく、転送する情報を暗号化するなどで情報のセキュリティを確保する必要がある。
これらの機能は図３の３３リモートＰＣの３３２ミドルウエアと３２オフィスサーバの３２２ミドルウエア（通信ミドルウエアと本発明機能に対応するミドルウエア）によって実行される。【００３４】  個人ＰＣの電源を投入し、使用を開始する時点で、通常のＰＣの立ち上げ動作の後に、個人ＰＣの電源断から電源投入の間に外部の端末からの操作によりオフィスサーバで更新された情報を個人ＰＣに転送して個人ＰＣの情報を更新させる。この場合、ミドルウエアのソフトウエアによって自動的に実施するため、利用者は新たな操作は不要である。この追加的な機能により電源投入のアクションの時間は増大する。しかし、電源断から電源投入までの非使用期間によって更新されたサーバの差分情報のみを転送することにより、この転送時間を最小にし、若干の転送時間の増大に限定することができる。
これら機能は図３の３１個人ＰＣの３１２ミドルウエアと３２オフィスサーバの３２２ミドルウエア（通信ミドルウエアと本発明機能に対応するミドルウエア）によって実行される。【００３５】  シンクライアントのモバイル情報端末で、プライベートな情報を記憶する家庭に設置されたホームＰＣあるいはホームサーバにもアクセスすることが可能である。この場合の動作はオフィスの場合に準じるので詳しい動作は説明を省略する。【００３６】  自席でフルスペック機能を有する個人ＰＣを利用する場合には、個人特有のソフトウエアをインストールすることが可能である。これにより、真に自分のＰＣとして利用することが可能になる。この機能が現在のシンクライアントＰＣで実現が困難であり、使用者が利用を望んでいる機能である。【００３７】  以上説明を行ったＰＣシステムにおいて、構成要素の個人ＰＣに関連するソフトウエア構成は以下の通りである。その概念を図３に示す。
１）個人ＰＣ
ＯＳ／ミドルウエア／アプリケーション・プログラム／ユーザデータ
２）オフィスサーバ
ＯＳ／ミドルウエア／ユーザデータ
３）リモートＰＣ
ＯＳ／ミドルウエア／アプリケーション・プログラム
なお、リモートＰＣを操作している時には、リモートＰＣとオフィスサーバが一体となって動作しており、リモートＰＣで欠落しているユーザデータはオフィスサーバ上に記憶されている。従って、リモートＰＣでは仮想的なユーザデータが存在していると考えることができる。【００３８】  本発明のシステム実現上で重要な意味を持つのがミドルウエアである。本発明に関連するミドルウエアとしてはリモート機器間の通信のための通信ミドルウエアとシンクライアントとリモートアクセスを実現するミドルウエアである。
通信ミドルウエアは本発明特有のもではなく、確実にかつ安全に遠隔機器間で情報の授受を行うためのものであり、回線の設定、通信プロトコル、情報の暗号化と復号化等の機能を有する。
一方、本発明方式特有のミドルウエアがシンクライアントとリモートアクセスを実現するミドルウエアである。この機能としては、個人ＰＣに関しては、電源断時にＰＣのユーザデータ（実効的には変化データ）をオフィスサーバのユーザ対応領域のユーザデータに退避する機能、また電源投入時にオフィスサーバのユーザ対応領域に記憶されているユーザデータ（実効的には変化データ）を個人ＰＣのユーザデータに送信して書き換える機能がある。また、リモートＰＣに関してはユーザデータにアクセスした時に、オフィスサーバに記憶されているユーザデータにアクセスし、データの取り出しや更新を行うものである。【００３９】  オフィスの自席ではフルスペックのＰＣとして個人ＰＣを利用する。しかし、利用者は社内の別の場所が外部でモバイルＰＣとして使いやすく、かつセキュリティの面でも問題なく、かつ出来るだけ安価な端末として利用できることが望ましい。
図５にはこのような利用形態に適した端末の一形態である「セパレータブルＰＣ」の機能構成を示している。図５において、自席で個人ＰＣとして利用する場合には「固定部分」と「分離部分」を合わせてフルスペックのＰＣとして操作する。そして、自席以外の場所（社内の他の場所、および社外）では分離部分をモバイルＰＣとしてモバイル・シンクライアント端末として機能させる。モバイル・シンクライアント端末としてのモバイルＰＣでは入出力部分、通信部分、バッテリ等が重要な部分である。
【実施例２】
【００４０】  ユーザの具体的な操作とそれに対応するシステムのメカニズムを説明することにより、本発明の動作を説明する。特に、有望な方式と考えられる個人ＰＣとオフィスサーバで共有する情報がユーザデータのみの場合、即ち、オフィスサーバではユーザ対応領域ではユーザデータとアプリケーション・プログラムを格納し、また、リモートＰＣではアプリケーション・プログラムもユーザデータも格納せず、オフィスサーバのユーザ対応領域に格納されているユーザデータとアプリケーション・プログラムを利用するシステムの動作を詳細に説明する。【００４１】  図２には本発明のＰＣシステムのタイムチャートは実施例１と同一である。ただし、「オフィスの個人ＰＣ」「オフィスサーバ」「リモーＰＣ」の間でユーザデータとアプリケーション・プログラムの情報が授受される。
そして、運用モードとして「個人ＰＣの使用時と終了時」「リモートＰＣの使用時」および「個人ＰＣの使用開始時」の個々の動作モードを説明する。
以下、個々動作モードでの操作と動作メカニズムについて具体的に説明する。【００４２】  個人ＰＣを使用する場合には、利用者は通常と同様に利用することができる。そして、個人ＰＣの使用を終了し、電源断の時、通常の個人ＰＣの動作の前に、個人ＰＣの情報をオフィスサーバにユーザデータとアプリケーション・プログラムを退避させる。この場合、退避させるミドルウエアのソフトウエアによって自動的に実施するため、利用者は新たな操作は不要である。この追加的な機能により電源断のアクションの時間は増大する。しかし、電源納入時から電源断までの使用期間によって更新した差分情報のみを転送することにより、この転送時間を最小にし、若干の転送時間の増大に限定することができる。
これら機能は図４の４１個人ＰＣの４１２ミドルウエアと４２オフィスサーバの４２２ミドルウエア（通信ミドルウエアと本発明機能に対応するミドルウエア）によって実行される。【００４３】  リモートＰＣを利用して情報を更新する場合はこれらの端末はＨＤＤのような記憶装置を持たないか、あるいは記憶装置を持っていてもその機能を作動させることはない。そしてオフィスのサーバと接続することにより、モバイルＰＣあるいはホームＰＣはオフィスのサーバの入出力装置の位置付けとなる。即ち、このような動作モードは「モバイル・シンクライアント）」あるいは「リモート・シン・クライアント）」ということができる。
このような動作モードにおいて、利用者の操作は通常のＰＣと同様に行うことができる。【００４４】  リモートＰＣとオフィスサーバとの間の回線の速度は通常のアプリケーションの場合、１Ｍｂｐｓ程度以上で充分であり、最近の高速回線ではこの条件は満足させることができる。
また、リモートＰＣとオフィスサーバとの間ではセキュリティも必須の条件である。この場合、ＶＰＮ等の専用回線をするとともに、単にＩＤやパスワードだけでなく、転送する情報を暗号化するなどで情報のセキュリティを確保する必要がある。
これらの機能は図４の４３リモートＰＣの４３２ミドルウエアと４２オフィスサーバの４２２ミドルウエア（通信ミドルウエアと本発明機能に対応するミドルウエア）によって実行される。【００４５】  個人ＰＣの電源を投入し、使用を開始する時点で、通常のＰＣの立ち上げ動作の後に、個人ＰＣの電源断から電源投入の間に外部の端末からの操作によりオフィスサーバで更新された情報を個人ＰＣに転送して個人ＰＣの情報を更新させる。この場合、ミドルウエアのソフトウエアによって自動的に実施するため、利用者は新たな操作は不要である。この追加的な機能により電源投入のアクションの時間は増大する。しかし、電源断から電源投入までの非使用期間によって更新されたサーバの差分情報のみを転送することにより、この転送時間を最小にし、若干の転送時間の増大に限定することができる。
これら機能は図４の４１個人ＰＣの４１２ミドルウエアと４２オフィスサーバの４２２ミドルウエア（通信ミドルウエアと本発明機能に対応するミドルウエア）によって実行される。【００４６】  シンクライアントのモバイル情報端末で、プライベートな情報を記憶する家庭に設置されたホームＰＣあるいはホームサーバにもアクセスすることが可能である。この場合の動作はオフィスの場合に準じるので詳しい動作は説明を省略する。【００４７】  自席でフルスペック機能を有する個人ＰＣを利用する場合には、個人特有のソフトウエアをインストールすることが可能である。これにより、真に自分のＰＣとして利用することが可能になる。この機能が現在のシンクライアントＰＣで実現が困難であり、使用者が利用を望んでいる機能である。【００４８】  以上説明を行ったＰＣシステムにおいて、構成要素の個人ＰＣに関連するソフトウエア構成は以下の通りである。その概念を図４に示す。
１）個人ＰＣ
ＯＳ／ミドルウエア／アプリケーション・プログラム／ユーザデータ
２）オフィスサーバ
ＯＳ／ミドルウエア／アプリケーション・プログラム／ユーザデータ
３）リモートＰＣ
ＯＳ／ミドルウエア【００４９】  本発明のシステム実現上で重要な意味を持つのがミドルウエアである。本発明に関連するミドルウエアとしてはリモート機器間の通信のための通信ミドルウエアとシンクライアントとリモートアクセスを実現するミドルウエアである。
通信ミドルウエアは本発明特有のもではなく、確実にかつ安全に遠隔機器間で情報の授受を行うためのものであり、回線の設定、通信プロトコル、情報の暗号化と復号化等の機能を有する。
一方、本発明方式特有のミドルウエアがシンクライアントとリモートアクセスを実現するミドルウエアである。この機能としては、個人ＰＣに関しては、電源断時にＰＣのユーザデータ（実効的には変化データ）をオフィスサーバのユーザ対応領域のユーザデータに退避する機能、また電源投入時にオフィスサーバのユーザ対応領域に記憶されているユーザデータ（実効的には変化データ）を個人ＰＣのユーザデータに送信して書き換える機能がある。また、リモートＰＣに関してはユーザデータにアクセスした時に、オフィスサーバに記憶されているユーザデータにアクセスし、データの取り出しや更新を行うものである。【００５０】  オフィスの自席ではフルスペックのＰＣとして個人ＰＣを利用する。しかし、利用者は社内の別の場所が外部でモバイルＰＣとして使いやすく、かつセキュリティの面でも問題なく、かつ出来るだけ安価な端末として利用できることが望ましい。
図５にはこのような利用形態に適した端末の一形態である「セパレータブルＰＣ」の機能構成を示している。図５において、自席で個人ＰＣとして利用する場合には「固定部分」と「分離部分」を合わせてフルスペックのＰＣとして操作する。そして、自席以外の場所（社内の他の場所、および社外）では分離部分をモバイルＰＣとしてモバイル・シンクライアント端末として機能させる。モバイル・シンクライアント端末としてのモバイルＰＣでは入出力部分、通信部分、バッテリ等が重要な部分である。
【産業上の利用可能性】
【００５１】  本発明技術を適用することにより、オフィスの内外においてより効率的で安全に運用することができるＰＣシステムを実現することが可能となる。また、本発明でのモバイルＰＣから自宅のホームＰＣにアクセスすることによりプライベートで有効なＰＣシステムを実現することができる。
【符号の説明】
【００５２】１１  オフィス
１２  個人ＰＣ
１３  オフィスサーバ
１４  ユーザ対応領域
１５  モバイルＰＣ
１６  ホームＰＣ
２１  個人ＰＣ
２１１ａ  ＰＣ使用状態
２１１ｂ  ＰＣ使用状態
２１２  ＰＣ電源断
２１３  ＰＣ電源投入
２２  オフィスサーバ
２２１ａ  情報更新
２２１ｂ  情報更新
２２２    サーバ使用
２３  リモートＰＣ
２３１  リモートアクセス状態
３１  オフィス個人ＰＣ
３１１  ＯＳ
３１２  ミドルウエア
３１３  ユーザデータ
３１４  アプリケーション・プログラム
３２  オフィスサーバ
３２１  サーバＯＳ
３２２  ミドルウエア
３２３  ユーザ対応領域
３２４  ユーザデータ
３３  リモートＰＣ
３３１  ＯＳ
３３２  ミドルウエア
３３３  アプリソフト
３３４  ユーザデータ
４１    オフィス個人ＰＣ
４１１  ＯＳ
４１２  ミドルウエア
４１３  ユーザデータ
４１４  アプリケーション・プログラム
４２    オフィスサーバ
４２１  サーバＯＳ
４２２  ミドルウエア
４２３  ユーザ対応領域
４２４  アプリケーション・プログラム
４２５  ユーザデータ
４３    リモートＰＣ
４３１  ＯＳ
４３２  ミドルウエア
４３３  アプリケーション・プログラム
４３４  ユーザデータ
５１    セパレータブルＰＣ
５２    固定部分
５２１  ＣＤ／ＤＶＤ
５２２  ＨＤＤ
５２３  ＬＡＮポート
５２４  電源回路
５３    分離部分
５３１  ＣＰＵ
５３２  ディスプレイ
５３３  入力装置
５３４  通信ポート
５３５  バッテリ
【図１】
2011198337.tif 000003
【図２】
2011198337.tif 000004
【図３】
2011198337.tif 000005
【図４】
2011198337.tif 000006
【図５】
2011198337.tif 000007